(57)【要約】【課題】パックを安定して宙吊り状態で支持でき、床や卓上に置いたままでも、パックを容易に取り出せるようにする。【解決手段】底壁１の周囲にそれぞれ対向する側壁２及び端壁３を連設し、側壁２を、底壁１に順次繋がる外側板４、頂板５及び内側板６から成る二重構造とし、頂板５から内側板６へかけて仕切柱部８を形成し、その下方に支持段部１５を連設して、支持段部１５にパックＰのフランジを段部に載せると、パックＰが宙吊り状態で支持されるようにしたパック収納用トレーにおいて、前記仕切柱部８の側方に、並行する切込７，９に挟まれた押込片部１０を形成し、押込片部１０の下部に谷折り及び山折りされる２本の折目線１３，１４を並行に入れて、その間に支持段部１５を形成すると共に、押込片部１０を内側板６から窪ませるようにする。【選択図】図３
0003172191.tif 000002
【実用新案登録請求の範囲】
【請求項１】
底壁(1)の周囲にそれぞれ対向する側壁(2)及び端壁(3)を連設し、側壁(2)を、底壁(1)に順次繋がる外側板(4)、頂板(5)及び内側板(6)から成る二重構造とし、頂板(5)から内側板(6)へかけて仕切柱部(8)を形成し、その下方に支持段部(15)を連設して、支持段部(15)にパックのフランジを段部に載せると、パックが宙吊り状態で支持されるようにしたパック収納用トレーにおいて、前記仕切柱部(8)の側方に、並行する切込(7,9)に挟まれた押込片部(10)を形成し、押込片部(10)の下部に谷折り及び山折りされる２本の折目線(13,14)を並行に入れて、その間に支持段部(15)を形成すると共に、押込片部(10)を内側板(6)から窪ませるようにしたことを特徴とするパック収納用トレー。
【考案の詳細な説明】
【技術分野】
【０００１】
この考案は、いちごパック等の輸送に使用する段ボール製トレーに関する。
【背景技術】
【０００２】
一般に、いちごパックを輸送する際には、段ボール製のトレーにパックを収納するが、このとき、パックをトレーの底壁上に直接置くと、輸送時の衝撃が緩和されることなくパックのいちごに作用して、いちごが傷みやすいという問題がある。
【０００３】
その対策として、下記特許文献１には、図６に示すように、パックＰが宙吊り状態で支持されるようにした段ボール製トレーが提案されている。このトレーは、底壁５１の周囲にそれぞれ対向する側壁５２及び端壁５３を連設し、各側壁５２を、底壁５１に順次繋がる外側板５４、頂板５５及び内側板５６から成る二重構造としたものである。
【０００４】
側壁５２の中間部には、頂板５５から内側板５６へかけて切込５７が入れられ、その間に仕切柱部５８が形成されている。内側板５６の切込５７は三角状とされ、その下部間に仕切柱部５８の下端から両側方へ延びる支持段部５９が形成されている。
【０００５】
支持段部５９と内側板５６及び仕切柱部５８の境界には、それぞれ谷折り及び山折りされる折目線６０，６１が入れられ、その折り曲げに伴い、支持段部５９は、仕切柱部５８の下部と共に、内側板５６から内側へ迫り出している。
【０００６】
内側板５６の両側下部には支持片６２が連設され、この支持片６２は、トレーのコーナー部で先端が端壁５３の内面に当接するように、斜めに折り曲げられている。底壁５１には、台形状の切込による突上片６３が２箇所に形成されている。
【０００７】
そして、このトレーにパックＰを収納する際には、仕切柱部５８を仕切として、トレー内の２つの区画にパックＰを挿入し、パックＰのフランジを、支持段部５９及び支持片６２に載せて、パックＰを底壁５１から浮き上がった状態に支持する。
【０００８】
また、トレーからパックＰを取り出す際には、トレーを持ち上げた状態で、突上片６３をトレーの底側から上方へ折り曲げて、パックＰを押し上げる。
【先行技術文献】
【特許文献】
【０００９】
【特許文献１】特開２０１１−１３１９２５号公報
【考案の概要】
【考案が解決しようとする課題】
【００１０】
しかしながら、上記のようなトレーでは、支持段部５９がパックＰの荷重等で撓みやすく、パックＰが支持段部５９から脱落して、宙吊り効果が得られなくなるおそれがある。
【００１１】
また、トレーを床や卓上に置いたままでパックＰを取り出そうとして、パックＰを持ち上げようとしても、小さな三角状の切込５７には指を入れにくく、取り出しにくいという問題がある。
【００１２】
そこで、この考案は、パックを安定して宙吊り状態で支持でき、床や卓上に置いたままでも、パックを容易に取り出せるようにすることを課題とする。
【課題を解決するための手段】
【００１３】
上記課題を解決するため、この考案は、底壁の周囲にそれぞれ対向する側壁及び端壁を連設し、側壁を、底壁に順次繋がる外側板、頂板及び内側板から成る二重構造とし、頂板から内側板へかけて仕切柱部を形成し、その下方に支持段部を連設して、支持段部にパックのフランジを段部に載せると、パックが宙吊り状態で支持されるようにしたパック収納用トレーにおいて、前記仕切柱部の側方に、並行する切込に挟まれた押込片部を形成し、押込片部の下部に谷折り及び山折りされる２本の折目線を並行に入れて、その間に支持段部を形成すると共に、押込片部を内側板から窪ませるようにしたのである。
【考案の効果】
【００１４】
この考案に係るトレーでは、収納したパックの荷重が作用しても、押込片部の折り曲げにより形成された支持段部が撓みにくく、パックが確実に宙吊り状態に支持され、パック内のいちご等が保護される。
【００１５】
また、押込片部が内側板から窪んでいるので、パックを取り出す際、その窪んだ部分に指を入れ、パックのフランジに指を掛けることにより、パックを容易に持ち上げて、取り出すことができる。
【図面の簡単な説明】
【００１６】
【図１】この考案に係るパック収納用トレーのブランクを示す裏面図
【図２】同上の組立過程を示す斜視図
【図３】同上の使用状態を示す斜視図
【図４】図３のIV―IV断面図
【図５】同上の仕切柱部及び押込片部付近を示す拡大平面図
【図６】従来のパック収納用トレーの使用状態を示す斜視図
【考案を実施するための形態】
【００１７】
以下、この考案の実施形態を添付図面に基づいて説明する。
【００１８】
この段ボール製トレーは、図３に示すように、２個のいちごパックＰを収納するものであり、図１に示すように、段ボールシートを打ち抜いたブランクから形成される。
【００１９】
このブランクでは、長方形状の底壁１の一対の長辺に側壁２が、他対の短辺に端壁３がそれぞれ連設され、側壁２は、底壁１から外側板４、頂板５及び内側板６を順次連設したものとされている。
【００２０】
側壁２の中間部には、頂板５から内側板６へかけて切込７が入れられ、その間に仕切柱部８が形成されている。仕切柱部８の両側方には、切込７の外側に並行する切込９が入れられ、切込７，９に挟まれた押込片部１０が形成されている。
【００２１】
外側の切込９は、内側の切込７よりも内側板６の下方となる先端側へ延び、その先端間に折目線１１が入れられ、仕切柱部８の下方となる端部には、折目線１２が入れられている。押込片部１０の下方となる端部には、折目線１３，１４が折目線１１に対し順次接近する位置に並行して入れられ、その間に支持段部１５が形成されている。
【００２２】
ここで、折目線１１は、切目と折目とが断続するリード罫とされ、折目線１３は、段ボールの表面側から入れた逆罫とされている。折目線１２，１４は、段ボールの裏面側から入れた通常の罫線とされている。リード罫及び逆罫は、段ボールを表面から見て谷となるように折り曲げる谷折りを可能とするものである。
【００２３】
内側板６の両側端の下方となる部分には、支持片１６が逆罫を介して連設され、内側板６の先端には、２個の係止突起６ａが連設されている。底壁１の外側板４との境界沿いには、係止突起６ａに対応して係止穴１ａが設けられている。
【００２４】
端壁３の両側には、折込片１７が連設され、折込片１７の上方となる端縁には、折り曲げにより折込片１７の揺動を阻止して側壁２及び端壁３の起立状態を安定させる揺止片１７ａが連設されている。折込片１７は、押込片部１０との干渉を回避するため、部分的に切り欠かれている。
【００２５】
端壁３と折込片１７の境界部分及び外側板４の外側部の上方となる端縁には、積上突起１８となる部分が設けられ、底壁１のコーナー部分には、段積み時に積上突起１８が挿入される積上穴１９が形成されている。端壁３の上方となる端縁の中央部には、積ずれ防止用の突出部３ａが設けられている。
【００２６】
このようなブランクを組み立てるには、図２に示すように、底壁１から端壁３を起立させ、折込片１７を底壁１と外側板４の境界に沿って内側へ折り曲げ、揺止片１７ａを内側水平方向へ折り曲げる。
【００２７】
その後、図３及び図４に示すように、外側板４を起立させ、頂板５及び内側板６を順次内側へ折り曲げ、外側板４と内側板６の間に折込片１７を挟み込む。
【００２８】
このとき、押込片部１０を押し込むと、折目線１１が谷折りとなり、折目線１２が山折りとなって、仕切柱部８の下部が内側板６から内側へ迫り出し、折目線１３が谷折りとなり、折目線１４が山折りとなって、支持段部１５が内側板６から内側へ水平に迫り出し、押込片部１０の支持段部１５より上方部分は、内側板６から窪んだ状態となる。
【００２９】
その後、支持片１６を、トレーのコーナー部で先端が端壁３の内面に当接するように、斜めに折り曲げ、係止突起６ａを係止穴１ａに係合させると、トレーは保形される。この組み立てに際し、別途仕切材を挿入したり、パックＰを宙吊り支持するための構造部分を組み立てる必要はない。
【００３０】
そして、パックＰを収納する際には、仕切柱部８を仕切として、トレー内の２つの区画にパックＰを挿入し、図４及び図５に示すように、パックＰのフランジを、支持段部１５及び支持片１６に載せて、パックＰを底壁１から浮き上がった状態に支持する。
【００３１】
上記のようなトレーでは、収納したパックＰの荷重が作用しても、押込片部１０の折り曲げにより形成された支持段部１５が撓みにくく、パックＰが確実に宙吊り状態に支持され、パックＰ内のいちごが保護される。
【００３２】
また、押込片部１０が内側板６から窪んでいるので、パックＰを取り出す際、その窪んだ部分に指を入れ、パックＰのフランジに指を掛けることにより、パックＰを容易に持ち上げて、取り出すことができる。
【００３３】
なお、上記実施形態では、２つのパックＰを収納するトレーを例示したが、４つ以上のパックＰを収納するトレーにおいても、側壁２に臨む部分には、同様の宙吊り構造を適用することができる。
【００３４】
また、側壁２と端壁３がなすコーナー部が角張ったものを例示したが、この部分に面取り状の斜面が設けられたものにおいても、同様の宙吊り構造を適用することができる。
【符号の説明】
【００３５】
１  底壁
１ａ  係止穴
２  側壁
３  端壁
３ａ  突出部
４  外側板
５  頂板
６  内側板
６ａ  係止突起
７  切込
８  仕切柱部
９  切込
１０  押込片部
１１，１２，１３，１４  折目線
１５  支持段部
１６  支持片
１７  折込片
１７ａ  揺止片
１８  積上突起
１９  積上穴
Ｐ  パック
【図１】
0003172191.tif 000003
【図２】
0003172191.tif 000004
【図３】
0003172191.tif 000005
【図４】
0003172191.tif 000006
【図５】
0003172191.tif 000007
【図６】
0003172191.tif 000008